【事件の表示】
　平成１１年特許願第２４９４５３号「地下構造物の施工法およびそれに使用するコンクリート函体」拒絶査定に対する審判事件〔平成１３年　３月２１日出願公開、特開２００１−　７３６８７、請求項の数（２）〕について、次のとおり審決する。
【結　論】
　原査定を取り消す。
　本願の発明は、特許すべきものとする。
【理　由】
 第１　手続の経緯
　本願は、平成１１年９月３日に出願され、平成１４年２月２７日付けで拒絶理由が通知され、これに対して同年４月２５日に手続補正書が提出され、同年５月１７日付けで拒絶査定がなされ、同年６月２６日に拒絶査定に対する審判請求がなされた。
　
第２　本願発明
　本願発明は、平成１４年４月２５日に提出された手続補正書により補正された明細書及び出願時に願書に添付され提出された図面の記載からみて、その特許請求の範囲の請求項１、２に記載された事項により特定される次のとおりのものと認める。
「【請求項１】　オープンシールド機の前面又は上面開口より前方の土砂を掘削排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰り返してコンクリート函体を縦列に順次埋設するオープンシールド工法と、オープンシールド機の前面を掘削排土し、オープンシールド機ごとコンクリート函体を元押しジャッキで押し出し、該元押しジャッキと押し出したコンクリート函体との間に新たなコンクリート函体を配設して押し出しを繰り返す推進工程とを組み合わせた地下構造物の施工法において、コンクリート函体の前端面を、横方向においてその中央部分を縦方向が垂直で横方向が後端面と平行な平行部に形成し、平行部の左右位置を縦方向が垂直で横方向が後方に向かって斜めのテーパー部に形成し、元押しジャッキは横方向に複数を並設し、前記テーパー部に対応する箇所でコンクリート函体の後部に配置されている前記元押しジャッキで押し出すことにより、コンクリート函体を斜め方向に押し出して曲線状に配設しカーブ施工し、平行部に対応する箇所でコンクリート函体の後部に配置されている前記元押しジャッキで押し出すことにより、コンクリート函体を平行部と直交する方向に押し出して直線状に配設し直線施工し、最後部のコンクリート函体の後部と元押しジャッキとの間に、コンクリート函体の押し出し方向に対応するよう複数の分割体で構成するプレスバーを並設し、カーブ施工に使用するプレスバーの分割体を左右位置に配置し、直線施工に使用するプレスバーの分割体を中央に配置し、各分割体をヒンジ結合し、カーブ施工時に各元押しジャッキの伸長ストロークに対応する位置にプレスバーを配置できるようにしたことを特徴とする地下構造物の施工法。」（以下、本願発明１という。）
　　【請求項２】　オープンシールド機の前面又は上面開口より前方の土砂を掘削排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰り返してコンクリート函体を縦列に順次埋設するオープンシールド工法と、オープンシールド機の前面を掘削排土し、オープンシールド機ごとコンクリート函体を発進坑に設置した元押しジャッキで押し出し、該元押しジャッキと押し出したコンクリート函体との間に新たなコンクリート函体を配設して押し出しを繰り返す推進工程とを組み合わせた地下構造物の施工法において使用するコンクリート函体であって、前端面の横幅方向を縦に約３等分割して、その中央部分を縦方向が垂直で横方向が後端面と平行な平行部に形成し、平行部の左右両側の部分を縦方向が垂直で横方向が後方に向かって斜めのテーパー部に形成したことを特徴とする地下構造物の施工法において使用するコンクリート函体。 」（以下、本願発明２という。）
　
第３　引用例
　これに対して、平成１４年２月２７日付けで通知された拒絶の理由に引用された刊行物には、それぞれ以下の事項が記載されていると認められる。
（ａ）特開平７−２６９２８９号公報（以下、引用例１という。）
「 　　【０００９】
  本発明の目的は前記従来例の不都合を解消し、開削工法とシールド工法の長所を生かした合理性に富むオープンシールド工法により施工する場合に、施工個所の上方に橋桁等の障害物が横切る場合でも、オープンシールド工法に用いたオープンシールド機はそのまま設置してこの障害物の影響を受けずに地下構造物を施工し、また、障害物通過後はオープンシールド工法にすぐ移行して施工を続行できる地下構造物の施工法およびそれに使用する発進坑を提供することにある。」、
「【特許請求の範囲】
　　【請求項１】　オープンシールド機の前面又は上面開口より前方の土砂を掘削・排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰り返して順次コンクリート函体を縦列に埋設するオープンシールド工法と、オープンシールド機の前面を掘削・排土し、オープンシールド機ごとコンクリート函体を発進坑に設置した推進ジャッキで押し出し、該推進ジャッキと押し出したコンクリート函体との間に新たなコンクリート函体を配設して押し出しを繰り返す推進工法とを組み合わせることを特徴とした地下構造物の施工法。」、
「　　【００２０】
　また、後方に位置するチャンバー17ｂの左右側板の内側に推進ジャッキ18を固定的に設けるようにし、この推進ジャッキ18にはチャンバー17ａ内でストラット19およびプレスバー（押角に相当する）20を組み合わせる。さらに、チャンバー17ａ，17ｂの底板上には前後方向に伸びるＨ形鋼によるレール部材21を複数適宜間隔で並列させ、このレール部材21でチャンバー17ａ，17ｂに吊り降ろすコンクリート函体４を受けるようにする。」、
「　　【００２５】
　その際、オープンシールド機１のテール部１ｃの底部には砕石23を敷き、チャンバー17ａ，17ｂのレール部材21上面がオープンシールド工法での既設のコンクリート函体４の下面に合致するようにする。そして、この既設のコンクリート函体４の前端には支圧板24を配設し、この支圧板24にチャンバー17ｂ内の推進ジャッキ18が当接するようにして、プレスバー20を反力として推進ジャッキ３を伸長してシールド機１を前進させる。」
　
　これらの記載及び図１から４の記載から、引用例１には、次の発明が記載されていると認められる。
「オープンシールド機の前面又は上面開口より前方の土砂を掘削・排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰
り返して順次コンクリート函体を縦列に埋設するオープンシールド工法と、オープンシールド機の前面を掘削・排土し、オープンシールド機ごとコンクリート函体を発進坑に設置した推進ジャッキで押し出し、該推進ジャッキと押し出したコンクリート函体との間に新たなコンクリート函体を配設して押し出しを繰り返す推進工法とを組み合わせ、コンクリート函体の前端面を、横方向においてその中央部分を縦方向が垂直で横方向が後端面と平行な平行部に形成し、発進坑に設置した推進ジャッキは横方向に複数を並設し、コンクリート函体の後部とこれらの推進ジャッキとの間に、プレスバーを配置した地下構造物の施工法。」
　
（ｂ）登録実用新案第３０５６８０２号公報（以下、引用例２という。）
「　【０００５】
　このため、本考案は長距離の曲線推進施工時において、推進管の端面の内側に推進力が集中せず、管端面にひび割れや破損を生じない推進管を提供するものである。」、
「　【０００６】
　【課題を解決するための手段】
　すなわち本考案は、曲線推進工法に使用されるコンクリート推進管において、前記推進管の端面を左右対称位置または上下対称位置で管外側に向かって徐々に勾配をつけて切り欠き部を設け、切り欠き部を設けない上下対称位置または左右対称位置にはクッション材を固着した管端面のテーパカット推進管である。」、 
「　【００１０】　
　上記構成のテーパカット推進管により、推進管が曲線部に入って推進管の継手部が折れ角を形成しても、前後の推進管端面は、クッション材を介して接触し、曲線内側では切り欠きの形成により、管端面同士が接触することはない。」、
「　【００１１】
 【実施例】
   以下、本考案を図面に基づいて説明する。図１は、本考案の管端面のテーパカット推進管を説明する正面図である。推進管１の後端面には、円周方向にほぼ４等分した範囲の左右対称位置で管外側に向かって徐々に勾配をつけて切り欠き部３が設けられている。また、推進管１の後端面の円周方向にほぼ４等分した範囲の上下対称位置でクッション材２が設けられている。クッション材２としては、曲線区間でも塑性変形して推進力を広い範囲で効率良く伝達できる材質で有れば良く、低発泡ポリスチレン等が用いられる。切り欠き部３の厚さとしては、曲線半径、クッション材２の厚さや材質を考慮して、推進管１継手部の曲線内側で管端面が接触しないように切り欠かれる。」
　
　これらの記載及び図１の記載から、引用例２には、次の発明が記載されていると認められる。
「曲線推進工法に使用されるコンクリート推進管において、前記推進管の端面に円周方向にほぼ４等分した範囲の左右対称位置で管外側に向かって徐々に勾配をつけて切り欠き部を設け、切り欠き部を設けない上下対称位置にはクッション材を固着した管端面のテーパカット推進管」
　
第４　対比・判断
１．本願発明１について
（１）対比
　本願発明１と引用例１記載の発明とを比較すると、引用例１記載の発明における発進坑に設置した推進ジャッキは、本願発明１における元押しジャッキに相当することから、両者の一致点及び相違点は次のとおりである。
＜一致点＞
　オープンシールド機の前面又は上面開口より前方の土砂を掘削排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰り返してコンクリート函体を縦列に順次埋設するオープンシールド工法と、オープンシールド機の前面を掘削排土し、オープンシールド機ごとコンクリート函体を元押しジャッキで押し出し、該元押しジャッキと押し出したコンクリート函体との間に新たなコンクリート函体を配設して押し出しを繰り返す推進工程とを組み合わせ、コンクリート函体の前端面を、横方向においてその中央部分を縦方向が垂直で横方向が後端面と平行な平行部に形成し、元押しジャッキは横方向に複数を並設し、コンクリート函体の後部と元押しジャッキとの間に、プレスバーを配置した地下構造物の施工法。
＜相違点＞
（ａ）本願発明１は、コンクリート函体の前端面を「横方向においてその中央部分を縦方向が垂直で横方向が後端面と平行な平行部に形成し、平行部の左右位置を縦方向が垂直で横方向が後方に向かって斜めのテーパー部に形成し」ているのに対して、引用例１記載のコンクリート函体では、前端面を縦方向が垂直で横方向が後端面と平行な平行部に形成するだけで、平行部の左右位置を縦方向が垂直で横方向が後方に向かって斜めのテーパー部には形成していない点。
（ｂ）本願発明１は、「元押しジャッキは横方向に複数を並設し、前記テーパー部に対応する箇所でコンクリート函体の後部に配置されている前記元押しジャッキで押し出すことにより、コンクリート函体を斜め方向に押し出して曲線状に配設しカーブ施工し、平行部に対応する箇所でコンクリート函体の後部に配置されている前記元押しジャッキで押し出すことにより、コンクリート函体を平行部と直交する方向に押し出して直線状に配設し直線施工」するのに対して、引用例１記載の発明は、元押しジャッキを複数並設しているものの、これを「テーパー部に対応する箇所」あるいは「平行部に対応する箇所」に配置し、「カーブ施工」あるいは「直線施工」する事項を有していない点。
（ｃ）本願発明１は、「最後部のコンクリート函体の後部と元押しジャッキとの間に、コンクリート函体の押し出し方向に対応するよう複数の分割体で構成するプレスバーを並設し、カーブ施工に使用するプレスバーの分割体を左右位置に配置し、直線施工に使用するプレスバーの分割体を中央に配置し、各分割体をヒンジ結合し、カーブ施工時に各元押しジャッキの伸長ストロークに対応する位置にプレスバーを配置できるようにし」ているのに対して、引用例１記載の発明は、プレスバーを備えるものの、プレスバーに関する上記の限定事項を備えていない点。
　
（２）判断
　相違点（ａ）について検討すると、引用例２には「曲線推進工法に使用されるコンクリート推進管」についての発明が記載されている。
　そこで、本願発明１と引用例２記載の発明を比較すると、引用例２記載の発明のコンクリート推進管は、本願発明１のコンクリート函体に相当し、引用例２記載の発明のコンクリート推進管の端面には、左右対称位置で管外側に向かって徐々に勾配をつけて切り欠き部を設けており、本願発明１のテーパー部に相当する構成が一応形成されている。
　ただし、引用例２記載の発明は、長距離の曲線推進施工時において、推進管の端面の内側に推進力が集中せず、管端面にひび割れや破損を生じない推進管を提供することを課題にしており、推進管の端面に設けた切り欠き部は、推進管が曲線部に入って推進管の継手部が折れ角を形成しても、曲線内側では管端面同士が接触することを避けるという機能を有するものであって、元押しジャッキの推進力は、クッション材を介して推進官の平行部に伝達されるのに対して、本願発明１は、元押しジャッキでオープンシールド機ごとコンクリート函体を押し出すときに、曲線状の方向へも押し出すことができ、直線施工だけでなくカーブ施工も可能とすることを課題としており、コンクリート函体の前端面に設けたテーパー部は、カーブ施工を行うにあたり、前のコンクリート函体の後端面に当接し、これを押し出す機能を有する。
　すなわち、本願発明１と引用例２記載の発明とは、課題が相違しており、函体あるいは推進管の端面に設けられたテーパー部の機能も異なる。
　さらに、上記の構成上の相違点（ｂ）及び（ｃ）に係る事項は、引用例２には記載されておらず、本願発明１は、これらの相違点（ａ）ないし（ｃ）により、本願明細書記載の「元押しジャッキでオープンシールド機ごとコンクリート函体を押し出すときに、曲線状の方向へも押し出すことができ、直線施工だけでなくカーブ施工も可能となり、施工現場の状況に対応でき、しかもそのために格別の装置も必要とせず、コンクリート函体にわずかな加工を施すだけで足りる」という特有の効果を生じる。
　
（３）まとめ
　したがって、本願発明１は、引用例１及び２記載の発明から、当業者が容易に発明することができたものとはいえない。
　
２．本願発明２について
（１）対比
　本願発明２と引用例１記載の発明とを比較すると、引用例１記載の発明における発進坑に設置した推進ジャッキは、本願発明２における元押しジャッキに相当することから、両者の一致点及び相違点は次のとおりである。
＜一致点＞
　オープンシールド機の前面又は上面開口より前方の土砂を掘削排土する工程と、推進ジャッキを伸長してコンクリート函体を反力にしてシールド機を前進させる工程と、シールド機のテール部内で縮めた推進ジャッキの後方に新たなコンクリート函体を上方から吊り降してセットする工程とを適宜繰り返してコンクリート函体を縦列に順次埋設するオープンシールド工法と、オープンシールド機の前面を掘削排土し、オープンシールド機ごとコンクリート函体を発進坑に設置した元押しジャッキで押し出し、該元押しジャッキと押し出したコンクリート函体との間に新たなコンクリート函体を配設して押し出しを繰り返す推進工程とを組み合わせた地下構造物の施工法において使用するコンクリート函体。
＜相違点＞
　本願発明２のコンクリート函体は、「前端面の横幅方向を縦に約３等分割して、その中央部分を縦方向が垂直で横方向が後端面と平行な平行部に形成し、平行部の左右両側の部分を縦方向が垂直で横方向が後方に向かって斜めのテーパー部に形成したことを特徴とする」のに対して、引用例１記載のコンクリート函体は、前端面を縦方向が垂直で横方向が後端面と平行な平行部に形成するだけで、平行部の左右位置を縦方向が垂直で横方向が後方に向かって斜めのテーパー部は形成していない点。
　
（２）判断
　引用例２には「曲線推進工法に使用されるコンクリート推進管」についての発明が記載されており、本願発明２と引用例２記載の発明とを比較すると、上記の「１．本願発明について」において行った本願発明１と引用例２記載の発明との比較と同様に、本願発明２と引用例２記載の発明とは、両者の課題は相違し、また、函体あるいは推進管の端面に設けられたテーパー部の機能も異なる。
 さらに、本願発明２と引用例２記載の発明の構成について、本願発明２のコンクリート函体は、函体の前端面を平行部と左右のテーパー部とに３等分割しており、片側のテーパー部は、横幅方向の１／３、すなわち約３３％の幅を有するのに対して、引用例２記載の発明のコンクリート推進管は、端面を平行部と左右の各切り欠き部を３等分割しておらず、左右の各切り欠き部は、管の円周方向にほぼ４等分した範囲の左右対称位置、つまり、横幅方向の比に換算すると、その約１５％の幅を有するにすぎないことから、両者の構成は相違し、本願発明２は、この構成の相違に基づき、直線施工だけでなくカーブ施工も可能となり、コンクリート函体にわずかな加工を施すだけで足りるという、特有の作用効果を生じる。
　
（３）まとめ
　したがって、本願発明２は、引用例１及び２記載の発明から、当業者が容易に発明をすることができたものとはいえない。
　
第５　むすび
　以上のとおりであるから、本願発明１及び２は、特許法第２９条第２項の規定に該当せず、原査定の拒絶の理由によっても本願発明を拒絶すべきものとすることはできない。
　また、他に本願発明１及び２を拒絶すべき理由を発見しない。
　よって、結論のとおり審決する。